(57)【特許請求の範囲】
【請求項１】
開口部を有し造営面に固定される枠体と、ランプ及び周囲の照度を検出する周囲照度検出手段並びに周囲照度が所定の照度より低いときに上記ランプを点灯させる点灯手段を少なくとも具備して上記枠体の開口部に着脱自在に取着されるライトブロックと、上記ランプを保護するランプカバーと、上記枠体並びにライトブロックに上記ランプカバーを着脱自在に取着する取着手段とを備えたことを特徴とする照明装置。
【請求項２】
開口部を有し造営面に固定されるプレート枠と、このプレート枠の開口部に着脱自在に装着される中枠とから成る上記枠体と、この中枠の開口部に着脱自在に取着される上記ライトブロックとを備えたことを特徴とする請求項１記載の照明装置。
【請求項３】
ランプカバーに設けられた係止爪と、上記枠体並びにライトブロックに設けられ上記係止爪と凹凸係合する係合部とから成る上記取着手段を備え、これら係止爪と係合部との凹凸係合を外すための外し孔を上記ランプカバーの前面側に開口させて設けたことを特徴とする請求項１又は２記載の照明装置。
【請求項４】
上記プレート枠を丸形としたことを特徴とする請求項２又は３記載の照明装置。
【請求項５】
上記ランプを点灯させる所定照度を可変する可変手段を備えたことを特徴とする請求項１〜４記載の照明装置。
【請求項６】
一次側が商用電源に接続されるトランスと、このトランスの二次側にランプとともに直列に接続されたスイッチ部と、周囲照度検出手段による検出結果に基づいて上記スイッチ部をオン・オフ制御する制御回路部とを具備する上記点灯手段を備え、バイポーラトランジスタにて上記スイッチ部を構成して成ることを特徴とする請求項１〜５記載の照明装置。
【請求項７】
上記ランプと、少なくとも点灯手段が実装された回路基板と、周囲照度検出手段とが納装されるライトブロック本体を備え、上記回路基板に実装された回路部の高圧側と低圧側とを隔てる隔壁をライトブロック本体の内部に設けて成ることを特徴とする請求項６記載の照明装置。
【請求項８】
埋込型の配線器具用に規格化されている大角形３個用の取付枠に３個まで取り付けることができる単位寸法の配線器具の２個分の寸法に上記ライトブロックを形成するとともに、ライトブロックが取着される上記枠体の開口部に設けた取付孔に係合可能な係合爪を上記ライトブロックに突設して成ることを特徴とする請求項１〜７記載の照明装置。
【発明の詳細な説明】
【０００１】
【発明の属する技術分野】
本発明は、造営面に配設され、周囲の照度に応じて点灯・消灯する照明装置に関するものである。
【０００２】
【従来の技術】
従来より、造営面に配設され、周囲の照度に応じて点灯・消灯する、いわゆるナイトライトと呼ばれるような照明装置が提供されている。このような照明装置は、光源であるランプ並びにランプを点灯させる点灯回路等を内蔵したライトブロックと、ライトブロックを造営面に配設するための取付枠とを備えていた。
【０００３】
【発明が解決しようとする課題】
しかし、従来例においては、ランプを保護するためのランプカバーがライトブロックに取着されるようになっていたため、デザイン上の点などからランプカバーの大きさに制約があり、ライトブロックに対して比較的に大きなランプカバーを取着することが困難になるという問題があった。
【０００４】
本発明は上記問題に鑑みて為されたものであり、その目的とするところは、比較的に大きなランプカバーを使用できて見栄えのよい照明装置を提供するにある。
【０００５】
【課題を解決するための手段】
請求項１の発明は、上記目的を達成するために、開口部を有し造営面に固定される枠体と、ランプ及び周囲の照度を検出する周囲照度検出手段並びに周囲照度が所定の照度より低いときに上記ランプを点灯させる点灯手段を少なくとも具備して上記枠体の開口部に着脱自在に取着されるライトブロックと、上記ランプを保護するランプカバーと、上記枠体並びにライトブロックに上記ランプカバーを着脱自在に取着する取着手段とを備えたものであり、ライトブロックだけでなく枠体にもランプカバーを取着するようにしたため、比較的に大きなランプカバーを使用でき、見栄えもよくすることができる。
【０００６】
請求項２の発明は、請求項１の発明において、開口部を有し造営面に固定されるプレート枠と、このプレート枠の開口部に着脱自在に装着される中枠とから成る上記枠体と、この中枠の開口部に着脱自在に取着される上記ライトブロックとを備えたものであり、施工作業が容易になる。
請求項３の発明は、請求項１又は２の発明において、ランプカバーに設けられた係止爪と、上記枠体並びにライトブロックに設けられ上記係止爪と凹凸係合する係合部とから成る上記取着手段を備え、これら係止爪と係合部との凹凸係合を外すための外し孔を上記ランプカバーの前面側に開口させて設けたものであり、照明装置が造営面に配設された状態でランプカバーを前面側から取り外すことができ、ランプの交換作業などが容易になる。
【０００７】
請求項４の発明は、請求項２又は３の発明において、上記プレート枠を丸形としたものであり、造営面に穿設される取付用の穴を丸形にすることができ、穴明け作業が容易になる。
請求項５の発明は、請求項１〜４の発明において、上記ランプを点灯させる所定照度を可変する可変手段を備えたものであり、照明装置が配設される場所に応じて上記所定照度を調節することができ、使い勝手を向上させることができる。
【０００８】
請求項６の発明は、請求項１〜５の発明において、一次側が商用電源に接続されるトランスと、このトランスの二次側にランプとともに直列に接続されたスイッチ部と、周囲照度検出手段による検出結果に基づいて上記スイッチ部をオン・オフ制御する制御回路部とを具備する上記点灯手段を備え、バイポーラトランジスタにて上記スイッチ部を構成して成るものであり、スイッチ部のオン抵抗を比較的に小さくでき、ランプを効率よく点灯させることができる。
【０００９】
請求項７の発明は、請求項６の発明において、上記ランプと、少なくとも点灯手段が実装された回路基板と、周囲照度検出手段とが納装されるライトブロック本体を備え、上記回路基板に実装された回路部の高圧側と低圧側とを隔てる隔壁をライトブロック本体の内部に設けて成るものであり、隔壁によって上記回路部の高圧側と低圧側とが分離され、より確実に絶縁が行える。
【００１０】
請求項８の発明は、請求項１〜７の発明において、埋込型の配線器具用に規格化されている大角形３個用の取付枠に３個まで取り付けることができる単位寸法の配線器具の２個分の寸法に上記ライトブロックを形成するとともに、ライトブロックが取着される上記枠体の開口部に設けた取付孔に係合可能な係合爪を上記ライトブロックに突設して成るものであり、規格化された上記既製の取付枠を用いて造営面に配設したり、他の埋込型の配線器具とともに造営面に配設することができる。
【００１１】
【発明の実施の形態】
以下、本発明の実施形態を図１〜図９を参照して詳細に説明する。
図１〜図４に示すように、壁面などの造営面に配設されるプレート枠１は合成樹脂により丸形に形成されており、略中央に矩形の開口部２が設けてある。プレート枠１の背面側には、断面コ字型の一対の脚３が一体に突設されており、造営面に穿設した穴（取付穴）に脚３を挿通するようになっている。また、プレート枠１には脚３の内部と連通する挿通孔６が設けてあり、この挿通孔６には合成樹脂製のねじ止め４を基部に装着したネジ５が挿通され、さらに、ネジ５の先端にははさみ金具７が螺着してある。すなわち、脚３の内部に配置されたネジ５を締め付けることで、プレート枠１の背面周囲と、外方に突出するように回動したはさみ金具７とで壁材などの造営材を挟持して、プレート枠１を造営面に取り付けることができるようになっている。なお、プレート枠１の両側には造営材に直接ねじ止めするための一対のねじ穴８も形成してある。ここで、本実施形態ではプレート枠１を丸形に形成しているため、造営面の取付穴も丸穴とすることができ、矩形の取付穴に比べて穴明け作業が容易になるという利点がある。
【００１２】
プレート枠１の開口部２内に着脱自在に装着される中枠９は、合成樹脂により矩形に形成されており、この中枠９の４隅には係合突起１０が一体に形成されている。一方、プレート枠１の開口部２の内側には係止凹所１１が形成されており、プレート枠１の開口部２内に中枠９を配置し、係合突起１０を係止凹所１１に挿入係止することにより、プレート枠１に中枠９を着脱自在に取り付けることができる。
【００１３】
また、プレート枠１の前面には金属製の丸形の耐火パネル１６が装着されるようになっており、略中央には後述するライトブロック３０の前面を露出させるための矩形の開口部１７が設けてある。そして、周縁部にはネジ５逃げ用の円形の穴１８と、ねじ穴８逃げ用の半円状の穴１９とが形成してあり、さらに、周縁にプレート枠１の孔２０に挿入係止する爪２１が形成してある。
【００１４】
中枠９の開口部９ａに取り付けられるライトブロック３０は、合成樹脂により略函形に形成されたボディ３１ａ及びカバー３１ｂを結合して構成される本体３１の内部に、後述する回路部を構成する電子部品が実装されたプリント基板３２等が納装してある。カバー３１ｂには背面側へ４つの組立片３３が突設されており、この組立片３３に穿設した係合孔３４の周縁に、ボディ３１ａの側面に突設された組立爪３５を係合することでボディ３１ａとカバー３１ｂとが組み立てられる。カバー３１ｂの前面にはランプ（電球）Ｌａの装着用の装着孔３６と、後述する照度センサたるＣｄＳ素子６１への光を取り込むための採光孔３７とが設けてある。なお、上記装着孔３６にはランプＬａの口金と螺合して、ランプＬａが着脱自在に装着されるソケット３８が配設してある。
【００１５】
一方、ボディ３１ａの内部には、商用電源からの電源線を接続するための端子部（図示せず）が収納される端子収納部４０が形成されており、この端子収納部４０内の底面に、電源線の先端が挿入される電線挿入孔４１並びに、従来周知の速結端子構造を有する端子部の外し釦操作用の操作孔４２が設けてある。
ここで、本実施形態ではボディ３１ａとカバー３１ｂとを結合して成る本体３１の外形寸法を、ＪＩＳ（日本工業規格）等において埋込型の配線器具用に規格化されている大角形３個用の取付枠に３個まで取り付けることができる単位寸法（これを１個モジュールと呼ぶ。）の配線器具の２個分の寸法（すなわち、２個モジュール）に形成するとともに、両側面に各２対の係合爪４３が突設してある。すなわち、本体３１の両側面に突設された係合爪４３を、中枠９の開口部９ａの内側に設けた係止穴１３に挿入係止することで、ライトブロック３０の本体３１を中枠９に着脱自在に装着できるのである。このため、埋込型の配線器具用に規格化された既製の取付枠を用いることができ、さらに、他の埋込型の配線器具とともに造営面に配設することができるという利点がある。
【００１６】
ライトブロック３０が取り付けられた中枠９及びプレート枠１の前面には、ライトブロック３０の前面側に露出するランプＬａを保護するとともにランプＬａの光を拡散させるための円形のランプカバー５０と、ランプカバー５０の外側を覆うリング状の化粧プレート２７とが着脱自在に取着される。化粧プレート２７が合成樹脂によりリング状に形成されており、裏面には係合突起２８が一体に突設してあって、この係合突起２８をプレート枠１に設けた係止凹所２０に挿入係止することで、化粧プレート２７をプレート枠１に着脱自在に取着できるようになっている。
【００１７】
ランプカバー５０は、図６に示すように大半月部５０ａと小半月部５０ｂとで全体が円形に形成され、全体が周縁から中央部にかけて前面側に膨出させてあり、大半月部５０ａは透光性を有する合成樹脂で形成され、小半月部５０ｂは透光性を有しない合成樹脂により形成されている。なお、小半月部５０ｂにはライトブロック３０の本体３１前面に設けられた採光孔３７と重なる位置に採光窓５０ｃが設けてある。さらに、小半月部５０ｂの裏面中央部には先端に係止爪５１ａを有する一対の係止片５１が突設してあり、この係止爪５１ａをライトブロック３０の本体３１の前面に形成した係合部３９と凹凸係合するようになっている。ここで、本体３１の係合部３９は、カバー３１ｂの前面側に形成された挿通孔３９ａと、挿通孔３９ａの内部に突設された係止突起３９ｂとから成るものである。また、小半月部５０ｂの裏面周縁部には、中枠９に当接して位置決めを行うためのリブ４４が突設してある。一方、大半月部５０ａの裏面下端部にも先端に係止爪５２ａを有する一対の係止片５２が突設してあり、中枠９の前面側周縁部に形成された係合部１４と凹凸係合するようになっている。すなわち、本実施形態では、ランプカバー５０の裏面より突設された係止片５１，５２の先端の係止爪５１ａ，５２ａを、ライトブロック本体３１の係合部３９並びに中枠９の係合部１４とそれぞれ凹凸係合することにより、ランプカバー５０をライトブロック３０と中枠９とに着脱自在に取着できるようになっている。
【００１８】
上述のように、ランプカバー５０をライトブロック３０及び中枠９に取着するようにしたため、ランプカバー５０を比較的に大きくすることができ、造営面に配設したときの見栄えをよくすることができるものである。また、大半月部５０ａの下端部には周縁部から前面側に開口する外し孔５３が形成してあり、この外し孔５３にマイナスドライバ等の工具の先端を挿入し、工具を使ってランプカバー５０を撓ませることで係止爪５１ａ，５１ｂと係合部３９，１４との凹凸係合を解除することができるようになっている。つまり、本照明装置を壁面などに配設した状態で、前面側よりランプカバー５０のみを取り外すことができ、ランプＬａの交換などが容易に行えるものである。
【００１９】
図７はライトブロック３０においてランプＬａを点灯させる回路構成を示す図である。商用電源（交流１００Ｖ）に接続される電源端子Ｔ1 はサージ吸収素子ＺＮＲを介してトランスＴの一次側に接続してある。一方、トランスＴの二次側は、ランプＬａ及びスイッチ部６０の直列回路と、ダイオードブリッジＤＢの交流入力端とに並列に接続してある。また、ダイオードブリッジＤＢの直流出力端間には、平滑コンデンサＣ1 、照度センサたるＣｄＳ素子６１、トランジスタＱ1 ，Ｑ2 等から成る制御回路部６２が接続してある。この制御回路部６２についてさらに詳しく説明すると、平滑コンデンサＣ1 の両端に抵抗Ｒ3 を介してトランジスタＱ1 のエミッタ−コレクタが接続してあり、トランジスタＱ1 のベースがＣｄＳ素子６１とバイアス抵抗Ｒ2 との接続点に接続してある。そして、トランジスタＱ1 のコレクタにトランジスタＱ2 のベースを接続するとともにトランジスタＱ2 のエミッタをダイオードブリッジＤＢの直流出力端子の負極側に接続し、且つトランジスタＱ2 のコレクタをスイッチ部６０を構成するＰＮＰ型のバイポーラトランジスタＱ3 のベースに接続してある。なお、トランジスタＱ1 のベース−コレクタ間にはＣｄＳ素子６１と並列に可変抵抗ＶＲが接続してある。
【００２０】
一方、スイッチ部６０は、ＰＮＰ型のバイポーラトランジスタＱ3 と、ＮＰＮ型のバイポーラトランジスタＱ4 とを互いのエミッタ及びコクレタ同士を接続するとともに、バイポーラトランジスタＱ4 のベースをトランジスタＱ2 のベースと並列にトランジスタＱ1 と抵抗Ｒ3 との接続点に接続して構成してある。従来は、ランプＬａへの給電をオン・オフするスイッチとしてトライアックを用いていたが、トライアックのオン抵抗が比較的に高いため、ランプＬａ（定格２．５Ｖ、０．３Ａ）の電圧が上記オン抵抗の分だけ低下してしまい、ランプＬａに効率よく電力供給することができないという不利な点があった。そこで、本実施形態のように、トライアックに比較してオン抵抗の低いバイポーラトランジスタＱ3 ，Ｑ4 を用いてスイッチ部６０を構成し、このスイッチ部６０によってランプＬａへ電力供給を行うようにしたため、ランプＬａを効率よく点灯させることができるのである。
【００２１】
次に、本実施形態の回路動作を図８のタイムチャートを参照して説明する。まず、周囲の照度が充分明るい場合には、ＣｓＳ素子６１の抵抗値が低いためにバイアス抵抗Ｒ2 の両端電圧すなわちトランジスタＱ1 のベース電圧ＶB はトランジスタＱ1 をオン状態に維持するだけの充分なレベルにあり、トランジスタＱ2 がオフであるため、スイッチ部６０のバイポーラトランジスタＱ3 ，Ｑ4 は何れもオフ状態に保持され、ランプＬａは点灯しない。一方、周囲の照度が低下するにつれてＣｄＳ素子６１の抵抗値が上昇するためにトランジスタＱ1 のベース電圧ＶB が下降し、周囲照度が点灯照度以下に低下するとトランジスタＱ1 がオフとなる。トランジスタＱ1 がオフになることでトランジスタＱ2 がオンとなり、さらにスイッチ部６０のバイポーラトランジスタＱ3 ，Ｑ4 もオンとなる。その結果、バイポーラトランジスタＱ3 ，Ｑ4 には半波ごとに交互に電流が流れ、ランプＬａには全波の電流が流れて点灯するのである。
【００２２】
ところで、ランプＬａが点灯・消灯する照度は、ＣｄＳ素子６１とバイアス抵抗Ｒ2 との分圧比によって決まるのであるが、本実施形態では、ＣｄＳ素子６１と並列に可変抵抗ＶＲを接続してあるため、可変抵抗ＶＲの抵抗値を可変することで上記分圧比、つまり点灯照度を調節できるようになっている。したがって、本発明に係る照明装置が配設される場所に応じて、ランプＬａを点灯させる周囲照度（点灯照度）を調節することができ、使い勝手を向上させることができるという利点がある。
【００２３】
上述の各回路を構成するトランスＴやトランジスタＱ1 等の電子部品は、ライトブロック３０内に収納されるプリント基板３２に実装されて実現されている。なお、点灯照度を調整するための可変抵抗ＶＲを本体３１の前面側から調整できるようにするため、カバー３１ｂには調整用のドライバ等を挿入する調整孔４５が設けてある。
【００２４】
ここで、プリント基板３２上の高圧側（トランスＴの一次側）と低圧側（トランスＴの二次側）との絶縁は、従来両者の配線パターン間の絶縁距離をとることで確保していたが、このような方法では確実な絶縁が行えないこと、並びに充分な絶縁距離を確保するためにプリント基板を大型化しなければならないことなどの不具合があった。そこで、本実施形態では、図９に示すようにカバー３１ｂの内部に隔壁４６を立設し、この隔壁４６の先端をプリント基板３２上の高圧側の配線パターン３２ａと低圧側のパターン及び電子部品との間に当接させて両者を分離するようになっている。つまり、絶縁性を有する合成樹脂製の隔壁４６にてプリント基板３２の高圧側と低圧側とを分離したため、プリント基板３２の高圧側と低圧側との絶縁をより確実に行うことができ、また、両者の距離を接近させてプリント基板３２の小型化を図ることも可能となるものである。
【００２５】
【発明の効果】
請求項１の発明は、開口部を有し造営面に固定される枠体と、ランプ及び周囲の照度を検出する周囲照度検出手段並びに周囲照度が所定の照度より低いときに上記ランプを点灯させる点灯手段を少なくとも具備して上記枠体の開口部に着脱自在に取着されるライトブロックと、上記ランプを保護するランプカバーと、上記枠体並びにライトブロックに上記ランプカバーを着脱自在に取着する取着手段とを備えたので、ライトブロックだけでなく枠体にもランプカバーを取着するようにしたため、比較的に大きなランプカバーを使用でき、見栄えもよくすることができるという効果がある。
【００２６】
請求項２の発明は、開口部を有し造営面に固定されるプレート枠と、このプレート枠の開口部に着脱自在に装着される中枠とから成る上記枠体と、この中枠の開口部に着脱自在に取着される上記ライトブロックとを備えたので、施工作業が容易になるという効果がある。
請求項３の発明は、ランプカバーに設けられた係止爪と、上記枠体並びにライトブロックに設けられ上記係止爪と凹凸係合する係合部とから成る上記取着手段を備え、これら係止爪と係合部との凹凸係合を外すための外し孔を上記ランプカバーの前面側に開口させて設けたので、照明装置が造営面に配設された状態でランプカバーを前面側から取り外すことができ、ランプの交換作業などが容易になるという効果がある。
【００２７】
請求項４の発明は、上記プレート枠を丸形としたので、造営面に穿設される取付用の穴を丸形にすることができ、穴明け作業が容易になるという効果がある。請求項５の発明は、上記ランプを点灯させる所定照度を可変する可変手段を備えたので、照明装置が配設される場所に応じて上記所定照度を調節することができ、使い勝手を向上させることができるという効果がある。
【００２８】
請求項６の発明は、一次側が商用電源に接続されるトランスと、このトランスの二次側にランプとともに直列に接続されたスイッチ部と、周囲照度検出手段による検出結果に基づいて上記スイッチ部をオン・オフ制御する制御回路部とを具備する上記点灯手段を備え、バイポーラトランジスタにて上記スイッチ部を構成して成るので、スイッチ部のオン抵抗を比較的に小さくでき、ランプを効率よく点灯させることができるという効果がある。
【００２９】
請求項７の発明は、上記ランプと、少なくとも点灯手段が実装された回路基板と、周囲照度検出手段とが納装されるライトブロック本体を備え、上記回路基板に実装された回路部の高圧側と低圧側とを隔てる隔壁をライトブロック本体の内部に設けて成るので、隔壁によって上記回路部の高圧側と低圧側とが分離され、より確実に絶縁が行えるという効果がある。
【００３０】
請求項８の発明は、埋込型の配線器具用に規格化されている大角形３個用の取付枠に３個まで取り付けることができる単位寸法の配線器具の２個分の寸法に上記ライトブロックを形成するとともに、ライトブロックが取着される上記枠体の開口部に設けた取付孔に係合可能な係合爪を上記ライトブロックに突設して成るので、規格化された上記既製の取付枠を用いて造営面に配設したり、他の埋込型の配線器具とともに造営面に配設することができるという効果がある。
【図面の簡単な説明】
【図１】本発明の実施形態を示し、（ａ）は一部省略した正面図、（ｂ）は側面断面図である。
【図２】同上の分解斜視図である。
【図３】同上を示し、（ａ）は正面図、（ｂ）は側面図である。
【図４】同上を示し、（ａ）はランプカバー及び化粧プレートを外した状態の正面図、（ｂ）は側面断面図である。
【図５】同上におけるライトブロックを示し、（ａ）は背面図、（ｂ）は側面図、（ｃ）は正面図、（ｄ）は下面図である。
【図６】同上のランプカバーを示し、（ａ）は正面図、（ｂ）は側面断面図、（ｃ）は裏面図、（ｄ）は下面図である。
【図７】同上の回路構成図である。
【図８】同上の回路動作を説明するためのタイムチャートである。
【図９】同上におけるライトブロックを示し、（ａ）は正面図、（ｂ）は一部破断した正面図、（ｃ）は一部破断した下面図である。
【符号の説明】
１  プレート枠
９  中枠
１４  係合部
３０  ライトブロック
３９  係合部
５０  ランプカバー
５１  係止片
【図１】
0003689950.tif 000002
【図２】
0003689950.tif 000003
【図３】
0003689950.tif 000004
【図４】
0003689950.tif 000005
【図５】
0003689950.tif 000006
【図６】
0003689950.tif 000007
【図７】
0003689950.tif 000008
【図８】
0003689950.tif 000009
【図９】
0003689950.tif 000010